(57)【要約】【課題】本発明は、天井に設置される換気扇に関するもので、風量を確実に確保し、エネルギーロスの低減を図ることを目的とするものである。【解決手段】本発明は、本体ケース１内の送風機１ａには送風制御器１５を接続し、また、化粧板６の制御部１２には無線モジュール２１を接続し、この制御部１２と前記送風制御器１５を接続するとともに、この制御部１２は、前記無線モジュール２１からの受信信号により、制御動作が変更される構成とした。【選択図】図１
2014031917.tif 000002
【特許請求の範囲】
【請求項１】
同一建屋内に少なくとも３つの換気装置を備え、建屋内の換気風量を一定に保つ換気システムであって、前記換気装置の本体には、それぞれ、室内の状況を検知する環境検出部と、同一建屋内に設置した他の換気装置と順番に通信を行なう通信部と、前記通信部を介して前記他の換気装置の動作状況を検出する動作検出部と、前記環境検出部の検知信号と動作検出部の検出信号とから前記送風装置の動作を決定する制御部を備え、前記制御部は、前記環境検出部の検知信号が変化した場合に前記送風装置の動作を優先して変更するとともに、前記通信部から前記他の換気装置へ自己の風量変化量を第一の換気装置の風量変化として送信し、この信号を受け取った第二の換気装置は、前記第一の換気装置の風量変化に対して、自己の風量変化量を第二の換気装置の風量変化として加えて、第三の換気装置に情報を送信し、第二の換気装置の信号を受け取った第三の換気装置は、前記第一の換気装置の風変化と前記第二の換気装置の風量変化から自己の風量を決定することを特徴とする換気装置。
【請求項２】
環境検出手段として人感センサ、温度センサ、湿度センサ、一酸化炭素センサ、二酸化炭素センサの少なくとも一つであることを特徴した請求項１に記載の換気装置。
【発明の詳細な説明】
【技術分野】
【０００１】
本発明は、換気の動作に関連して排気風量を制御する換気装置に関する。
【背景技術】
【０００２】
従来のこの種、換気装置は、以下のようなものとなっていた。
【０００３】
すなわち、浴室換気装置が２４時間換気を行なっているときに、レンジフードが駆動されたとき、浴室換気装置の２４時間換気機能を停止若しくは換気風量を低減する。また、レンジフードファンが停止したことを電流センサで検出して浴室換気装置の２４時間換気の再開若しくは排気量の復帰増大を行う構成となっていた（たとえば、下記特許文献１）。
【先行技術文献】
【特許文献】
【０００４】
【特許文献１】特開２００６−３８３６４号公報
【発明の概要】
【発明が解決しようとする課題】
【０００５】
上記従来例によれば、２４時間換気を実行しているときに、前記起動検出手段が前記大排気量装置の起動を検出したときに、前記２４時間換気を停止若しくは換気量を低減し、前記大排気量装置が停止したときにこれを起動検出手段で検出して前記２４時間換気の再開若しくは換気風量の復帰増大を行う調整機能を有することを利用して、これにて室内の換気が行われ建物内部に負圧が発生してドアが開きにくくなったり、隙間風の音が大きくなったりすることを防止していた。
【０００６】
このような換気装置における課題としては、例えばレンジフードファン等大きな風量を排気するモータ等が故障した時に２４時間換気を停止してしまうため、換気不足になる可能性があり、また、レンジフード等の大きな風量で換気をまかなうようにすると過換気となり必要以上の風量になるため、無駄な電力を使用すると共に不快感を与える。
【０００７】
そこで、本発明は、最適な電力で、建屋の換気を満足させることを目的とするものである。
【課題を解決するための手段】
【０００８】
そしてこの目的を達成するために本発明は、同一建屋内に少なくとも３つの換気装置を備え、建屋内の換気風量を一定に保つ換気システムであって、前記換気装置の本体には、それぞれ、室内の状況を検知する環境検出部と、同一建屋内に設置した他の換気装置と順番に通信を行なう通信部と、前記通信部を介して前記他の換気装置の動作状況を検出する動作検出部と、前記環境検出部の検知信号と動作検出部の検出信号とから前記送風装置の動作を決定する制御部を備え、前記制御部は、前記環境検出部の検知信号が変化した場合に前記送風装置の動作を優先して変更するとともに、前記通信部から前記他の換気装置へ自己の風量変化量を第一の換気装置の風量変化として送信し、この信号を受け取った第二の換気装置は、前記第一の換気装置の風量変化に対して、自己の風量変化量を第二の換気装置の風量変化として加えて、第三の換気装置に情報を送信し、第二の換気装置の信号を受け取った第三の換気装置は、前記第一の換気装置の風変化と前記第二の換気装置の風量変化から自己の風量を決定する構成とし、これにより、所期の目的を達成するものである。
【発明の効果】
【０００９】
以上のように本発明は、同一建屋内に少なくとも３つの換気装置を備え、建屋内の換気風量を一定に保つ換気システムであって、前記換気装置の本体には、それぞれ、室内の状況を検知する環境検出部と、同一建屋内に設置した他の換気装置と順番に通信を行なう通信部と、前記通信部を介して前記他の換気装置の動作状況を検出する動作検出部と、前記環境検出部の検知信号と動作検出部の検出信号とから前記送風装置の動作を決定する制御部を備え、前記制御部は、前記環境検出部の検知信号が変化した場合に前記送風装置の動作を優先して変更するとともに、前記通信部から前記他の換気装置へ自己の風量変化量を第一の換気装置の風量変化として送信し、この信号を受け取った第二の換気装置は、前記第一の換気装置の風量変化に対して、自己の風量変化量を第二の換気装置の風量変化として加えて、第三の換気装置に情報を送信し、第二の換気装置の信号を受け取った第三の換気装置は、前記第一の換気装置の風変化と前記第二の換気装置の風量変化から自己の風量を決定する構成になっているため、第一の換気装置に備えている環境検出部が環境の変化を検出し風量を増加させた場合においても、第二、第三の換気装置が風量を決定し増加分を減少させるため、建物内の換気風量を常に一定に保ち、且つ無駄なエネルギーを低減できるという効果を奏する。
【図面の簡単な説明】
【００１０】
【図１】本発明の一実施形態にかかる換気扇の設置例を示す一部切欠斜視図
【図２】同分解斜視図
【図３】同分解斜視図
【図４】同制御ブロック図
【図５】同化粧板側の制御ブロック図
【図６】同換気装置三台の通信動作を示す図
【図７】同換気装置の動作説明図
【発明を実施するための形態】
【００１１】
本発明の請求項１の換気装置は、同一建屋内に少なくとも３つの換気装置を備え、建屋内の換気風量を一定に保つ換気システムであって、前記換気装置の本体には、それぞれ、室内の状況を検知する環境検出部と、同一建屋内に設置した他の換気装置と順番に通信を行なう通信部と、前記通信部を介して前記他の換気装置の動作状況を検出する動作検出部と、前記環境検出部の検知信号と動作検出部の検出信号とから前記送風装置の動作を決定する制御部を備え、前記制御部は、前記環境検出部の検知信号が変化した場合に前記送風装置の動作を優先して変更するとともに、前記通信部から前記他の換気装置へ自己の風量変化量を第一の換気装置の風量変化として送信し、この信号を受け取った第二の換気装置は、前記第一の換気装置の風量変化に対して、自己の風量変化量を第二の換気装置の風量変化として加えて、第三の換気装置に情報を送信し、第二の換気装置の信号を受け取った第三の換気装置は、前記第一の換気装置の風変化と前記第二の換気装置の風量変化から自己の風量を決定する構成を備えたものである。
【００１２】
これにより、第一の換気装置に備えている環境検出部が環境の変化を検出し風量を増加させた場合においても、第二、第三の換気装置が風量を決定し増加分を減少させることができる。
【００１３】
また、本発明の請求項２の換気装置は、環境検出手段として人感センサ、温度センサ、湿度センサ、一酸化炭素センサ、二酸化炭素センサの少なくとも一つである特徴を有する。
【００１４】
これにより、換気装置の設置場所の環境変化を確実に検出することができる。
【００１５】
以下、本発明の一実施形態を、添付の図面を用いて説明する。
【００１６】
（実施の形態１）
図１〜図３において、換気装置１７の本体ケース１は、下面に室内空気取入開口部２、側面（または上面）に室内空気排出開口部３を有する箱形の本体ケースで、内部には送風機１ａが設けられている。
【００１７】
この換気装置１７の本体ケース１は図１のごとく、天井板４の上面に設置されるもので、この天井板４には、室内空気取入開口部２と略同じ大きさの開口部（図示せず）が設けられている。
【００１８】
また、換気装置１７の本体ケース１の室内空気排出開口部３にはダクト５の一端が接続され、さらにダクト５の他端は室外へと延長されている。
【００１９】
前記本体ケース１は図１のごとく、天井板４の上面に設置され、その状態で、天井板４の下面から、前記室内空気取入開口部２を覆うごとく、化粧板６が着脱自在に取り付けられている。
【００２０】
この化粧板６の前記本体ケース１への取り付けについては、よく知られた構造であるので、簡単に説明すると、図２に示すように、化粧板６の取り付けバネ７を、本体ケース１の取り付部８に装着することで、この作業は簡単に行える。
【００２１】
前記化粧板６は、本体ケース１の室内空気取入開口部２よりも大きなものであるので、天井板４の開口部（図示せず）や、前記室内空気取入開口部２を、天井板４の下面側から覆い、美的感覚を高めるものである。
【００２２】
また、この化粧板６には、図３に示すように、通気孔９と環境検出部取り付け孔１０が設けられ、環境検出部取り付け孔１０には、環境検出部１１に設置されている。
【００２３】
前記環境検出部１１は、図４に示すように、制御部１２に接続され、さらに制御部１２には、同一建屋内に設置した他の換気装置と順番に通信を行なう通信部１３と、前記通信部を介して前記他の換気装置の動作状況を検出する動作検出部１４と、本体ケース１内の送風機１ａ制御用の送風制御器１５が接続されている。
【００２４】
送風制御器１５は送風機１ａおよび、電源装置１６に接続されている。なお、電源装置１６は、コネクター１６Ａを介して化粧板６の制御部１２にも接続されている。
【００２５】
また、通信部１３と動作検出部１４を無線モジュール２１とする。
【００２６】
さらに、図５に示すように、環境検出部１１は、人感センサ１１ａ、温度センサ１１ｂ、湿度センサ１１ｃ、一酸化炭素センサ１１ｄ、二酸化炭素センサ１１ｅ等の少なくとも一つである。
【００２７】
以下、図６に示すように例えば、建物内に設置した同一の換気装置１７を３台設置した場合について説明する。
【００２８】
換気装置１７は、全て同じスペックを有するものであり、それぞれ電源の入った順番に第一の換気装置１８、第二の換気装置１９、第三の換気装置２０としている。
【００２９】
建物の換気風量が３００ｍ３／ｈ必要とした場合、換気装置１７は最低１００ｍ３／ｈ以上排気できるような換気装置１７を選定する。
【００３０】
但し、換気装置１７を取り付けている部屋は、それぞれ空気を取り入れる給気装置を備え、換気装置１７の排気に対して十分給気を取れるものとする。
【００３１】
図７に示すように、換気装置１７に電源が印加されると、環境検出部１１、制御部１２、無線モジュール２１に電源が入力される。一番初めに電源が入力された換気装置１７が一旦親となる。すなわち、第一の換気装置１８となる。
【００３２】
次に、第二の換気装置１９に電源を印加すると、環境検出部１１、制御部１２、無線モジュール２１に電源が入力され、先に電源が印加された第一の換気装置１８と無線モジュール２１が通信を開始する。第三の換気装置２０に電源が印加されると、環境検出部１１、制御部１２、無線モジュール２１に電源が入力され、先に電源が印加された第一の換気装置１８、第二の換気装置１９と第三の換気装置２０の無線モジュール２１が通信を開始する。
【００３３】
全ての換気装置１７に電源が印加されるとお互いに通信が行われ今この建物内に換気装置１７すなわち第一の換気装置１８、第二の換気装置１９、第三の換気装置２０が３台設置されたことが認識され、この３台の第一の換気装置１８、第二の換気装置１９、第三の換気装置２０はネットワーク化される。
【００３４】
例えば、第一の換気装置１８の環境検出部１１が環境の変化を認識すると第一の換気装置１８の送風制御器１５が送風機１ａを制御して風量を現在の１００ｍ３／ｈから２００ｍ３／ｈに変更指示をする。第一の換気装置１８の風量が２００ｍ３／ｈに変更されると、第一の換気装置１８にある無線モジュール２１から第二の換気装置１９の無線モジュール２１に第一の換気装置１８が風量を２００ｍ３／ｈに変化したことを伝達される。第二の換気装置１９は、第一の換気装置１８の風量が増加したことを認識し、自分自身の環境検出部１１に変化がないことを確認して風量を５０ｍ３／ｈ低減させる。第二の換気装置１９は、第二の換気装置１９自身が風量を５０ｍ３／ｈ低減させた情報と、第一の換気装置１８の風量が１００ｍ３／ｈ増加した情報を第三の換気装置２０に無線モジュール２１を利用して送信を行う。第三の換気装置２０の無線モジュール２１は、第二の換気装置１９の情報を受け、自分自身の環境検出部１１に変化がないことを確認して風量を５０ｍ３／ｈ低減させることにより、常に建物内に必要な換気風量２００ｍ３／ｈを確保することとなる。
【００３５】
但し、第一の換気装置１８、第二の換気装置１９、第三の換気装置２０の環境検出部１１が全て検出している時は、それぞれが換気風量を確保することを優先として換気装置１７全てが風量を増加することとなる。
【００３６】
本実施の形態では、無線モジュール２１を用いて構成をしたが、市販の無線モジュール用いても同様の効果を得られる。
【００３７】
また、換気装置を３台用いて説明をしたが、台数が増加した場合も同様の効果が得られる。また、第一の換気装置１８を軸にしてネットワーク化の説明をしたが第二の換気装置１９、第三の換気装置２０のどの換気装置１７から情報を発信したとしても同様の効果が得られるものとする。
【産業上の利用可能性】
【００３８】
以上のように本発明は、換気装置がネットワークを構成するため建物内に必要な風量を最適に提供することができるため、家庭用の用途のほか、事務所、店舗等の用途などに適用することが出来る。
【００３９】
したがって、天井に設置される換気扇としての活用が期待されるものとなる。
【符号の説明】
【００４０】
１    本体ケース
１ａ  送風機
２    室内空気取入開口部
３    室内空気排出開口部
４    天井板
５    ダクト
６    化粧板
７    取り付けバネ
８    取り付部
９    通気孔
１０  環境検出部取り付け孔
１１  環境検出部
１２  制御部
１３  通信部
１４  動作検出部
１５  送風制御器
１６  電源装置
１７  換気装置
１８  第一の換気装置
１９  第二の換気装置
２０  第三の換気装置
２１  無線モジュール
【図１】
2014031917.tif 000003
【図２】
2014031917.tif 000004
【図３】
2014031917.tif 000005
【図４】
2014031917.tif 000006
【図５】
2014031917.tif 000007
【図６】
2014031917.tif 000008
【図７】
2014031917.tif 000009